(57)【要約】【課題】  高密度記録に適した光ディスク媒体を提供する。【解決手段】  本発明の光ディスク媒体（１０）は、ピット（１１）の屈折率をｎ、読み取りレーザ波長をλとしたときに、ランド（１２）に対するピット（１１）の高さがλ／４ｎよりも更に５％〜１５％程度高く設定されている。ピット（１１）の高さを理論値よりも５％〜１５％程度高くすることで、ランド（１２）からの反射光に対して位相ずれを起こしたピット（１１）からの反射光量を大きくすることが可能となり、両反射光の位相差がλ／２とならなくても、干渉の程度をある程度大きくし、ピット（１１）の反射率を下げることができる。これにより、変調度を高くできるため、読み取りエラーレートの低減、ジッタの低減に繋がり、高品質な高密度ＲＯＭ系光ディスク媒体を提供できる。【選択図】    図１
2005135452.tif 000002
【特許請求の範囲】
【請求項１】
光学的に検出可能なピットとランドが信号記録面に形成されている光ディスク媒体であって、前記ピットの屈折率をｎ、読み取りレーザ波長をλとしたときに、前記ランドに対する前記ピットの高さがλ／４ｎよりも高く形成されている、光ディスク媒体。
【請求項２】
請求項１に記載の光ディスク媒体であって、前記ランドに対する前記ピットの高さは、０．０５≦Ｋ≦０．１５なる定数Ｋに対して、λ（１＋Ｋ）／４ｎの高さに形成されている、光ディスク媒体。
【請求項３】
請求項２に記載の光ディスク媒体であって、前記ピットの断面形状は略台形である、光ディスク媒体。
【発明の詳細な説明】
【技術分野】
【０００１】
本発明は光学的に情報の読み取りが可能な光ディスク媒体に関し、特に、高密度記録に適した光ディスク媒体に関する。
【背景技術】
【０００２】
特開平６−７５３１５号公報、特開２００２−２１６３６４号公報には、光学的に情報の読み取り可能な再生専用光ディスク媒体の構造が提案されている。ＣＤ−ＲＯＭ、ＤＶＤ−ＲＯＭなどの再生専用光ディスク媒体は信号記録面に形成されたピットに情報を記録したものであり、ランドでの反射率が最大、ピットでの反射率が最小となるようにピットの高さが調整されている。ピットからの反射光とランドからの反射光の位相差がλ／２となって、干渉条件を満たすには、ピットの高さは理論的にλ／４ｎであることが必要となる。ここで、λは読み取りレーザ波長、ｎはピットの屈折率とする。
【特許文献１】特開平６−７５３１５号公報
【特許文献２】特開２００２−２１６３６４号公報
【発明の開示】
【発明が解決しようとする課題】
【０００３】
しかし、光ディスク媒体に記録された情報を光ディスク読み取り装置で読み取るには、光ディスク媒体の歪み等に起因する複屈折現象、読み取り装置光学系のチルト等によって損失が発生し、変調度が低下するため、必ずしも上述した理論値が最適であるとは限らない。光ディスク媒体の高密度化に伴い、読み取りレーザ波長が短くなり、レーザスポット径に対するピット表面積とトラックピッチの比率が増大するため、この影響は益々大きくなる。
【０００４】
そこで、本発明はこのような問題を解決し、高密度記録に適した光ディスク媒体を提供することを課題とする。
【課題を解決するための手段】
【０００５】
上記の課題を解決するため、本発明の光ディスク媒体は光学的に検出可能なピットとランドが信号記録面に形成されている光ディスク媒体であって、ピットの屈折率をｎ、読み取りレーザ波長をλとしたときに、ランドに対するピットの高さがλ／４ｎよりも高く形成されている。ピットの高さを理論値よりも高くすることで、ランドからの反射光に対して位相ずれを起こしたピットからの反射光量を大きくすることが可能となり、両反射光の位相差がλ／２とならなくても、干渉の程度をある程度大きくし、ピットの反射率を下げることができる。これにより、光ディスク媒体の変調度を高くできるため、読み取りエラーレートの低減、ジッタの低減に繋がり、高品質な高密度光ディスク媒体を提供することが可能となる。
【０００６】
ランドに対するピットの高さは、０．０５≦Ｋ≦０．１５なる定数Ｋに対して、λ（１＋Ｋ）／４ｎの高さに形成されているのが望ましい。ピットの高さを理論値よりも５％〜１５％程高く形成することで変調度が向上することが本発明者の実験により確認されている。
【０００７】
ピットの断面形状としては略台形であることが望ましい。ピットの断面形状が略台形状である場合に、ピットの高さを理論値に対して５％〜１５％程度高くすると、変調度が向上することが本発明者の実験により確認されている。
【発明の効果】
【０００８】
本発明によれば、ピットの高さを理論値よりも高くすることで、ランドからの反射光に対して位相ずれを起こしたピットからの反射光量を大きくすることが可能となり、両反射光の位相差がλ／２とならなくても、干渉の程度をある程度大きくし、ピットの反射率を下げることができる。これにより、光ディスク媒体の変調度を高くできるため、読み取りエラーレートの低減、ジッタの低減に繋がり、高品質な高密度光ディスク媒体を提供することが可能となる。
【発明を実施するための最良の形態】
【０００９】
図１は本実施形態に関わる光ディスク媒体の断面図である。同図に示すように、光ディスク媒体１０の信号記録面には光学的に検出可能なピット１１とランド１２が形成されている。光ディスク媒体１０の変調度はＲＦ信号の最大値をＩｍａｘ、最小値をＩｍｉｎとすれば、変調度＝（Ｉｍａｘ−Ｉｍｉｎ）／Ｉｍａｘで求めることができる。この式から明らかなように、変調度を高めるにはＩｍｉｎを小さくすればよい。ＩｍｉｎとＩｍａｘはそれぞれピット１１とランド１２の反射率に対応しているから、Ｉｍｉｎを小さくするには、ピット１１の反射率を下げればよい。そこで、本実施形態ではピット１１の高さを理論値であるλ／４ｎよりもやや高めに設定し、ランド１２からの反射光に対して位相ずれを起こしたピット１１からの反射光量を大きくすることにより、両反射光の位相差がλ／２とならなくても、干渉の程度をある程度大きくすることで、ピット１１の反射率を下げている。
【００１０】
ピット１１の好ましい高さとしては、ピット１１の形状などによっても異なるが、ピット１１の断面形状が略台形状である場合には、０．０５≦Ｋ≦０．１５なる定数Ｋに対して、λ（１＋Ｋ）／４ｎの高さに形成すると、変調度が向上することが本発明者の実験により確認されている。ピット１１の斜面をランド１２に対して９０度の角度で形成することは非常に困難であるから、ピット１１を略台形状に形成するとともに、その高さを理論値よりも５％〜１５％程度高めに設定し、ピット斜面を含めたピット面積をある程度増大させることで、干渉効果によるピット１１の反射率低下を実現できる。ピット斜面１１ａとランド１２との成す角度θは１３５度〜１４０度が好適である。
【００１１】
図２はピットの高さ［ｎｍ］に対応する変調度の実測値をグラフに表したものである。片面シングルレイヤで２０ＧＢ程度のＲＯＭ系光ディスク媒体では、読み取りレーザ波長は４０５ｎｍ、ピット１１の屈折率ｎ＝１．５８であるため、本実施形態ではこの条件で実験を行った。このＲＯＭ系光ディスクの従来のピットの高さは６８ｎｍであり、変調度は０．７２７であった。これに対し、ピットの高さを１５％高くした７８ｎｍでの変調度は０．７９７であった。このように、ピット１１の高さを理論値よりも高めの値に設定することで変調度を高めることができる。
【００１２】
本実施形態によれば、ピット１１の高さを理論値よりも高くすることで、ランド１２からの反射光に対して位相ずれを起こしたピット１１からの反射光量を大きくすることが可能となり、両反射光の位相差がλ／２とならなくても、干渉の程度をある程度大きくし、ピット１１の反射率を下げることができる。これにより、変調度を高くできるため、読み取りエラーレートの低減、ジッタの低減に繋がり、高品質な高密度ＲＯＭ系光ディスク媒体を提供できる。
【００１３】
尚、本発明の光ディスク媒体はＣＤ−ＲＯＭ、ＤＶＤ−ＲＯＭなどの再生専用光ディスク媒体に限らず、例えば、再生専用部（ＲＯＭ部）と記録可能部（ＲＡＭ部）を備えた光ディスク媒体にも適用できる。
【図面の簡単な説明】
【００１４】
【図１】本実施形態に関わる光ディスク媒体の構造図である。
【図２】ピットの高さに対応する変調度のグラフである。
【符号の説明】
【００１５】
１０…光ディスク媒体  １１…ピット  １２…ランド
【図１】
2005135452.tif 000003
【図２】
2005135452.tif 000004